(57)【特許請求の範囲】
【請求項１】
扉に固着されるベース本体１に対してハンドル２が起伏回転するように装着され、ハンドル２の起立回転時または起立回転後におけるハンドル２の回転操作時に、ハンドル２に直接または間接的に接続されたロック部材３が、ボックス本体などの固定枠体側の受金部から離脱するように配置され、
複数のダイヤル円盤４の外周面に付された符号が予め設定した解錠符号列に整列させられたときにロックプレート５が解錠位置に来る一方、解錠符号列に整列させられないときにはロックプレート５が施錠位置に来る符号合わせ錠６をハンドル２に組み込み、ハンドル２の正面２ａに形成した凹部１００の内底面に前記ダイヤル円盤の外周面の一部が突き出るスロット６８を形成し、ダイヤル円盤４の該外周面４ａをハンドル２の正面２ａより前記凹部１００内に後退させて配置し、
所定の鍵７をロータ８の鍵孔９に挿入したとき内部錠機構１０が解除されてロータ８が回転可能になり、鍵７でロータ８を回転操作するとき止め金板１１がハンドル２の側面透孔１２から出没するシリンダー錠１３とを、ハンドル２の長手方向において前記符号合わせ錠６と隣接させてハンドル２に組み込み、
止め金板１１の先端部１４が基端部側面の段差部１５に係脱する受金レバー１６を基端部において枢軸１７によってベース本体１の内壁部に取付け、止め金板１１の先端部１４に押されるカム斜面１８を段差部１５に形成し、バネ部材１９によって受金レバー１６を止め金板１１に向けて回転付勢し、
符号合わせ錠６の中心軸２０と平行に配置したスライダー２１をバネ部材２２によってシリンダー錠１３の方向に移動付勢し、スライダー２１の先端部２３を止め金板１１とは反対側において受金レバー１６の先端部２４の側面に当接させ、ロックプレート５が施錠位置または解錠位置にあるかによってロックプレート５の錠止端部２５と係脱する制止部２６をスライダー２１に形成し、
ロックプレート５が解錠位置にあるとき、ハンドル２をベース本体１から引き出すことによって止め金板１１によりカム斜面１８を押して、受金レバー１６を拘束解除方向に退避回転させる一方、ロックプレート５が施錠位置に来たときには、ロックプレート５の錠止端部２５がスライダー２１の制止部２６に係合して受金レバー１６の前記退避回転が阻止されるようにした複合錠組込み型扉用ロックハンドル装置の取付構造において、
扉３０の取付用開口３２に正面側から挿入されるベース本体１の外壁面の前端縁部に、扉３０の正面３０ａに突き当てられる表側突起部９３を形成し、ベース本体１の長手方向の一方側端部に扉３０の裏面側に入り込む裏側突起部９０を形成し、表側突起部９３の一方側端部９３ａと裏側突起部９０との間に前記取付用開口３２の一方側端部の裏面側縁部３０ａが係合する位置決め溝部９２を形成し、扉３０の裏面側に入り込むベース本体１の他方側端部に前記表側突起部９３の他方側端部９３ｂに向かって開口された空洞部９４を形成し、該空洞部９４に連通する螺子孔８９をベース本体１の背面壁部に形成し、前記空洞部９４に収容したストッパー部材８０を扉３０の正面３０ａと平行な枢軸８１によってベース本体１に枢着し、前記螺子孔８９に螺合したセット螺子８２によって前記ストッパー部材８０を押すことによって、ストッパー部材８０の先端側面部８０ａを表側突起部９３の前記他方側端部９３ｂの背面９３ｃと前記取付用開口３２の他方側端部の裏面側縁部３２ｂに係合させるようにしたことを特徴とする複合錠組込み型扉用ロックハンドル装置の取付構造。
【請求項２】
ベース本体１を扉３０の前記取付用開口３２に挿入するとき、取付用開口３２の前記他方側端部の表側縁部３２ｃと摺接して前記ストッパー部材８０を前記空洞部９４内に退没させる第１カム面部８３をストッパー部材８０の外側面部に形成し、前記セット螺子８２を前記螺子孔８９にねじ込むとき、セット螺子８２の先端部と摺接してストッパー部材８０を前記空洞部９４より突出させる第２カム面部８４をストッパー部材８０の内側面部に形成したことを特徴とする請求項１に記載の複合錠組込み型扉用ロックハンドル装置の取付構造。
【請求項３】
前記ストッパー部材８０が前記取付用開口３２の前記他方側端部の裏面側縁部３２ｂより外側に突出するように回転付勢するバネ部材８５をストッパー部材８０とベース本体１との間に設けたことを特徴とする請求項１または請求項２に記載の複合錠組込み型扉用ロックハンドル装置の取付構造。
【請求項４】
前記表側突起部９３の他方側端部９３ｂの前記背面９３ｃと前記取付用開口３２の他方側端部の前記裏面側縁部３２ｂに係合するストッパー部材８０の前記先端側面部８０ａを弧状に形成したことを特徴とする請求項１、請求項２または請求項３に記載の複合錠組込み型扉用ロックハンドル装置の取付構造。
【請求項５】
ベース本体１の前記裏側突起部９０に扉３０と直交方向に螺子孔９８を形成し、該螺子孔９８に捻じ込んだ押付け螺子９７の先端を扉３０の裏面３０ｂに押し当てたことを特徴とする請求項１ないし請求項４のいずれかに記載の複合錠組込み型扉用ロックハンドル装置の取付構造。
【発明の詳細な説明】
【０００１】
【発明の属する技術分野】
本発明は、ハンドルがベース本体に対して起伏回転する扉用ロックハンドル装置の取付構造に関するものである。
【０００２】
【従来の技術】
ベース本体が扉に固着され、このベース本体に対してハンドルが起伏回転するように装着され、ハンドルがベース本体に対して垂直または斜めに起立回転する時に、または起立回転後にハンドルを回転操作した時に、ハンドルに直結または間接的に連結されたロック部材が、ボックス本体などの固定枠体側の受金部から離脱するように構成された扉用ロックハンドル装置は、既に知られており、ハンドルまたはベース本体の一方にはシリンダー錠が組み込まれ、ハンドルはベース本体に対して倒伏した位置に拘束保持されるようになっている。
【０００３】
この扉用ロックハンドル装置では、装着対象の機器における内部スペース上の制約、あるいは対象機器の設置箇所における外部スペース上の制約から、ベース本体の扉後面側への突出量、あるいはハンドルの扉前面側への突出量を極力減らすことを要請されることがある。
このような要請に対応するためには、ハンドルの厚さやベース本体の奥行き寸法を小さくして、装置全体を薄型に構成する必要があるが、この場合にはハンドルやベース本体に組み込まれるシリンダー錠も薄型のものとならざるを得ない。
【０００４】
薄型のシリンダー錠では、内部錠機構として組み込まれるディスクタンブラピンタンブラやピンタンブラのセット数が少なくなるため、得られる鍵違いの数も自ずから限定されたものとなった。そのため、例えば対象機器の使用を許された者が多数存在しており、その多数の者による機器の使用をシリンダー錠を媒介としてパーソナル管理したい用途等には、薄型シリンダー錠を組み込んだ扉用ロックハンドル装置は適用することができなかった。
【０００５】
また、従来の扉用ロックハンドル装置においては、ベース本体の正面側端部に連設した正面板部の透孔よりビスを扉の螺子孔に正面側から螺子込むか、扉の透孔よりビスをベース本体の螺子孔に背面側から螺子込むことによって、ベース本体を扉パネルに取付けていた。
【０００６】
しかしながら、このような取付構造では、扉用ロックハンドル装置の堅固な取付を実行するためには、扉にベース本体を埋め込み装着する取付用開口に加えて、ベース本体の長手方向の両端部に近接した部位に螺子孔や透孔を設ける必要があるため、そのための孔開け加工をしなければならない上に、ビス止めの際には扉の正面側から扉用ロックハンドル装置を取付位置に押えていなければならなかった。
【０００７】
また、実公平３−５４２７４号公報に開示されたハンドル装置では、前端部に化粧板を連設したベース本体の長手方向の一端部に化粧板に対して傾斜した斜面部を設け、扉を化粧板と斜面部との間に挿入してから扉の取付用開口にハンドル装置を埋め入れ、他端部に設けた斜面部と係止ブロックとの間に扉を挟み込み、背面側からビスを螺子込んで固定しているが、やはりビス止めの際には、ハンドル装置が扉から外れないように扉の正面側から押えていなければならず、作業能率が悪かった。
【０００８】
【発明が解決しようとする課題】
したがって本発明の目的は、多数の鍵違いを得ることができ、多数の者によって使用等される機器等のパーソナル管理を行なえるようにした複合錠組込み型扉用ロックハンドル装置の取付構造であって、扉に取付ビス用の螺子孔や透孔を一切設ける必要がなく、ビス止め作業のためにベース本体を押える必要がなくて取付作業を能率良く行え、また、板厚の異なる各種の扉に有効に適用できるようにした取付構造を提供することである。
【０００９】
【課題を解決するための手段】
以下、添付図面中の参照符号を用いて説明すると、請求項１の発明の特徴は、扉に固着されるベース本体１に対してハンドル２が起伏回転するように装着され、ハンドル２の起立回転時または起立回転後におけるハンドル２の回転操作時に、ハンドル２に直接または間接的に接続されたロック部材３が、ボックス本体などの固定枠体側の受金部から離脱するように配置され、
複数のダイヤル円盤４の外周面に付された符号が予め設定した解錠符号列に整列させられたときにロックプレート５が解錠位置に来る一方、解錠符号列に整列させられないときにはロックプレート５が施錠位置に来る符号合わせ錠６をハンドル２に組み込み、ハンドル２の正面２ａに形成した凹部１００の内底面に前記ダイヤル円盤の外周面の一部が突き出るスロット６８を形成し、ダイヤル円盤４の該外周面４ａをハンドル２の正面２ａより前記凹部１００内に後退させて配置し、
所定の鍵７をロータ８の鍵孔９に挿入したとき内部錠機構１０が解除されてロータ８が回転可能になり、鍵７でロータ８を回転操作するとき止め金板１１がハンドル２の側面透孔１２から出没するシリンダー錠１３とを、ハンドル２の長手方向において前記符号合わせ錠６と隣接させてハンドル２に組み込み、
止め金板１１の先端部１４が基端部側面の段差部１５に係脱する受金レバー１６を基端部において枢軸１７によってベース本体１の内壁部に取付け、止め金板１１の先端部１４に押されるカム斜面１８を段差部１５に形成し、バネ部材１９によって受金レバー１６を止め金板１１に向けて回転付勢し、
符号合わせ錠６の中心軸２０と平行に配置したスライダー２１をバネ部材２２によってシリンダー錠１３の方向に移動付勢し、スライダー２１の先端部２３を止め金板１１とは反対側において受金レバー１６の先端部２４の側面に当接させ、ロックプレート５が施錠位置または解錠位置にあるかによってロックプレート５の錠止端部２５と係脱する制止部２６をスライダー２１に形成し、
ロックプレート５が解錠位置にあるとき、ハンドル２をベース本体１から引き出すことによって止め金板１１によりカム斜面１８を押して、受金レバー１６を拘束解除方向に退避回転させる一方、ロックプレート５が施錠位置に来たときには、ロックプレート５の錠止端部２５がスライダー２１の制止部２６に係合して受金レバー１６の前記退避回転が阻止されるように配置した複合錠組込み型扉用ロックハンドル装置の取付構造において、
扉３０の取付用開口３２に正面側から挿入されるベース本体１の外壁面の前端縁部に、扉３０の正面３０ａに突き当てられる表側突起部９３を形成し、ベース本体１の長手方向の一方側端部に扉３０の裏面側に入り込む裏側突起部９０を形成し、表側突起部９３の一方側端部９３ａと裏側突起部９０との間に前記取付用開口３２の一方側端部の裏面側縁部３０ａが係合する位置決め溝部９２を形成し、扉３０の裏面側に入り込むベース本体１の他方側端部に前記表側突起部９３の他方側端部９３ｂに向かって開口された空洞部９４を形成し、該空洞部９４に連通する螺子孔８９をベース本体１の背面壁部に形成し、前記空洞部９４に収容したストッパー部材８０を扉３０の正面３０ａと平行な枢軸８１によってベース本体１に枢着し、前記螺子孔８９に螺合したセット螺子８２によって前記ストッパー部材８０を押すこ
とによって、ストッパー部材８０の先端側面部８０ａを表側突起部９３の前記他方側端部９３ｂの背面９３ｃと前記取付用開口３２の他方側端部の裏面側縁部３２ｂに係合させることである。
【００１０】
請求項２の発明の取付構造では、請求項１の発明の前記構成に加えて、ベース本体１を扉３０の前記取付用開口３２に挿入するとき、取付用開口３２の前記他方側端部の表側縁部３２ｃと摺接して前記ストッパー部材８０を前記空洞部９４内に退没させる第１カム面部８３をストッパー部材８０の外側面部に形成し、前記セット螺子８２を前記螺子孔８９にねじ込むとき、セット螺子８２の先端部と摺接してストッパー部材８０を前記空洞部９４より突出させる第２カム面部８４をストッパー部材８０の内側面部に形成する。
【００１１】
請求項３の発明の取付構造では、請求項１または請求項２の発明の前記構成に加えて、前記ストッパー部材８０が前記取付用開口３２の前記他方側端部の裏面側縁部３２ｂより外側に突出するように回転付勢するバネ部材８５をストッパー部材８０とベース本体１との間に設ける。
【００１２】
請求項４の発明の取付構造では、請求項１、請求項２または請求項３の発明の前記構成に加えて、前記表側突起部９３の他方側端部９３ｂの前記背面９３ｃと前記取付用開口３２の他方側端部の前記裏面側縁部３２ｂに係合するストッパー部材８０の前記先端側面部８０ａを弧状に形成する。
【００１３】
請求項５の発明の取付構造では、請求項１ないし請求項４のいずれかの発明の前記構成に加えて、ベース本体１の前記裏側突起部９０に扉３０と直交方向に螺子孔９８を形成し、該螺子孔９８に捻じ込んだ押付け螺子９７の先端を扉３０の裏面３０ｂに押し当てる。
【００１４】
【発明の作用】
請求項１の発明の取付構造では、複合錠組込み型扉用ロックハンドル装置を扉３０に取付けるには、扉３０の正面側からベース本体１を長手方向の一方側端部の方より取付用開口３２に挿入し、ベース本体１の表側突起部９３の一方側端部９３ａと裏側突起部９０間に形成した位置決め溝部９２に前記取付用開口３２の一方側端部の裏面側縁部３２ａを係合させる。
この係合点を中心にベース本体１を扉３０に向かって転回させて、ベース本体１の他方側端部を取付用開口３２に挿入し、前記表側突起部９３の全長を扉３０の正面３０ａに突き当てる。
【００１５】
その後、扉３０の裏面側からドライバーを使用してセット螺子８２を回転操作し、ベース本体１の前記空洞部９４内に突き出しているセット螺子８２の先端部によってストッパー部材８０を押し動かし、ストッパー部材８０を前記枢軸８１１を中心に外向きに回転させ、ストッパー部材８０の先端側面部８０ａを表側突起部９３の前記他方側端部９３ｂの背面９３ｃと取付用開口３２の他方側端部の裏面側縁部３２ｂに同時に係合させる。
これによってベース本体１は、表側突起部９３が扉３０の正面３０ａに引き付けられた状態で扉３０に固着される。
【００１６】
請求項２の発明の取付構造では、ベース本体１を前記取付用開口３２に挿入するとき、ストッパー部材８０の第１カム面部８３が取付用開口３２の前記表側縁部３２ｃと摺接して、ストッパー部材８０を前記空洞部９４内に退没させる。また、セット螺子８２を螺子孔８９にねじ込むとき、ストッパー部材８０の第２カム面部８４にセット螺子８２の先端部が摺接して、ストッパー部材８０を空洞部９４より突出させ、ストッパー部材８０の先端側面部８０ａを表側突起部９３の前記背面９３ｃと前記取付用開口３２の前記裏面側縁部３２ｂに当接させる。
【００１７】
請求項３の発明の取付構造では、ベース本体１を取付用開口３２に挿入する過程において、第１カム面部８３と前記表側縁部３２ｃとの摺接によって、ストッパー部材８０が空洞部９４内に退没する一方、ベース本体１の表側突起部９３が扉３０の正面３０ａに当接したとき、バネ部材８５の回転付勢によってストッパー部材８０が外側に回転し、この回転終端においてストッパー部材８０の先端側面部８０ａが表側突起部９３の前記背面９３ｃと取付用開口３２の前記裏面側縁部３２ｂに当接する。
【００１８】
請求項４の発明の取付構造では、ストッパー部材８０の先端側面部８０ａは、扉３０の板厚に応じて、弧状に形成された一定長さのどこかの点において、表側突起部９３の前記背面９３ｃと取付用開口３２の前記裏面側縁部３２ｂに当接する。
【００１９】
請求項５の発明の取付構造では、位置決め溝部９２とストッパー部材８０の協働作用によってベース本体１を扉３０に取り付けた後、前記螺子孔９８に捻じ込んだ押付け螺子９７の先端を扉３０の裏面３０ｂに押し当てる。
【００２０】
【発明の実施の形態】
本発明の取付構造が適用される複合錠組込み型扉用ロックハンドル装置では、機器の所有者または管理者から機器の使用を許された多数の者は、当該所有者または管理者から予め自分専用の解錠符号列を割り当てられる。
前記多数の内の一人の者が、機器を使用するために扉を開放するときには、ハンドル２の正面の凹部１００に指先を入れてダイヤル円盤４の外周面４ａに指先を当て、複数のダイヤル円盤４の外周面に付された符号の組合せ順列からなる符号列が、自分に割り当てられている解錠符号列となるように、複数のダイヤル円盤４を適宜に正逆回転させる。
【００２１】
図４に示したように各ダイヤル円盤４の符号が割り当ての解錠符号列に配列されたとき、符号合わせ錠６は解錠状態となる。この解錠状態においては、図８及び図９に示したようにロックプレート５の錠止端部２５はスライダー２１の制止部２６と係合し得ないレベル位置にあり、符号合わせ錠６の主体部分方向に向かってのスライダー２１の後退移動は阻止されていない状態にある。また、このときシリンダー錠１３は施錠状態にあり、止め金板１１の先端部１４は受金レバー１６の段差部１５に係合しており、この係合状態はバネ部材１９の回転付勢によって維持されている。そのため、ハンドル２はベース本体１の正面凹部２７に収納された倒伏位置に拘束されている。
【００２２】
この状態においてハンドル２を基端部の枢軸２８を中心としてベース本体１から引き出し回転させると、止め金板１１の先端部１４が受金レバー１６の段差部１５に連続する傾斜カム面１８を押すため、受金レバー１６は枢軸１７を中心として拘束解除方向に退避回転し、受金レバー１６がスライダー２１の先端部２３を押してスライダー２１を後退移動させる。
ハンドル２がベース本体１から一定角度まで引き出された段階では、止め金板１１の先端部１４による受金レバー１６の押圧がなくなるため、受金レバー１６はバネ部材１９の付勢によって略水平な待機位置に復帰する。また、スライダー２１もバネ部材２２の付勢によって元の位置まで前進復帰する。
【００２３】
このハンドルの起立回転時に、または起立回転後にハンドル２を手で握り、ロックシャフト２９周りに回転操作すると、ハンドル２に直接または間接的に接続されたロック部材３が機器収納ボックス本体などの固定枠体側の受金部（図示していない）から離脱し、扉３０の固定枠体に対する拘束が解除され、扉３０はハンドル２をそのまま手前に引くことによって開放される。
【００２４】
割り当てられた特定の解錠符号列以外の配列に各ダイヤル円盤４を回したときには、図８に矢印で示したようにロックプレート５が回動することによって符号合わせ錠６は施錠状態になり、ロックプレート５の錠止端部２５がスライダー２１の制止部２６が突き当たる位置に来るため、スライダー２１の後退移動はロックプレート５によって阻止され、そのため、受金レバー１６は拘束解除方向に退避回転することができない。
この施錠状態においてハンドル２を枢軸２８を中心としてベース本体１から引き出し回転させるとき、ハンドル２が僅かの角度回転して止め金板１１の先端部１４が受金レバー１６の傾斜カム面１８に押し付けられた段階で引き出し回転が阻止されることになる。
【００２５】
例えば一般ユーザよりも広い権限を有する管理者は、個別の解錠符号列を使用せずにハンドル２を引き出し回転操作することができる。その上級権限者は、シリンダー錠１３の鍵７を付与されている。
所定の解錠符号列を知らない部外者や侵入者によってダイヤル円盤４が不正規角度に回され、符号合わせ錠６が施錠状態に無意図的に設定された場合、当該上級管理者はこの施錠状態をリセットすることができる。
【００２６】
リセット操作の準備段階として、上級権限者は鍵７をシリンダー錠１３のロータ８の鍵孔９に挿入し、所要の鍵山コードによって内部錠機構１０を解除方向に駆動する。これによって回転可能になったロータ８を鍵７により解錠方向に回転操作すると、止め金板１１がハンドル２の側面透孔１２からハンドル内部に引き込まれ、止め金板１１の先端部１４と受金レバー１６の段差部１５との係合状態が解除される。
【００２７】
上記したように符号合わせ錠６が施錠状態にあるときには、ロックプレート５の錠止端部２５がスライダー２１の制止部２６が突き当たる位置に来るため、スライダー２１の後退移動はロックプレート５によって阻止され、受金レバー１６は拘束解除方向に退避回転することができない。
しかしながら、鍵７でシリンダー錠１３を解錠操作したときには、止め金板１１は受金レバー１６に当たらない位置に退没しているから、ハンドル２は受金レバー１６によって干渉されることなく、ベース本体１の正面凹部２７から引き出される。
扉３０を開放した後、扉３０の背面側から適宜のリセット手段を操作することによって、不正規な施錠状態が解除され、復旧処理される。
【００２８】
図示の実施例の取付構造では、ベース本体１の上部には、扉３０の前面と直角に軸受孔３１が形成されており、軸受孔３１にはロックシャフト２９が前後方向に移動不能に嵌挿されている。ロックシャフト２９の後端角軸部２９ａには、板状のロック部材３と回転角度制御板７１及び座金７２が相対回転不能に嵌められ、ボルト１０１によって締付け固定されている。
【００２９】
ハンドル２の上端部の背面側に形成された凹部３６には、ロックシャフト２９の前端部が遊び空間を残して挿入され、ハンドル２は扉３０の前面と平行な横断枢軸２８によってロックシャフト２９の前端部に枢着されている。ハンドル２がベース本体１に対して倒伏したとき、ハンドル２の主体部分の背面側部分はベース本体１の正面側凹部２７に入り込む。ハンドル２の下端部３７は前記倒伏状態では、ベース本体１の下端部から前面側に突出しており、使用者がハンドル２をベース本体１から引き出して起立回転させるとき、使用者の指先が掛け易いように形成されている。
【００３０】
ハンドル２はベース本体１に対して斜めに起立回転させられ、この起立状態において使用者がハンドル２を握って回転操作すると、ハンドル２と一体にロックシャフト２９が回転するようになっている。
ハンドル２には、符号合わせ錠６を格納するための空洞部３８が中間部分に長さ方向に長く形成されており、該空洞部３８はハンドル２の背面側に開口されており、該開口はハンドル２に固定されたバックプレート部材３９によって閉塞されている。
【００３１】
図７以降に詳細に示してあるように符号合わせ錠６は、外周面に数字などの符号を複数個等角度間隔に表示してあるダイヤル円盤４と、ダイヤル円盤４の中央透孔４０に嵌挿して積層される短筒状のカム円盤４１と、カム円盤４１の中央軸孔４２に挿通される丸棒状の中心軸２０と、ダイヤル円盤４とカム円盤４１の積層体をシリンダー錠１３の方向に移動付勢する圧縮コイルバネ４３と、ダイヤル円盤４の一部が嵌め込まれる矩形開口部４４を有するロックプレート５を主要部品としている。
【００３２】
図１１から図１３に示したようにダイヤル円盤４の中央透孔４０は小径孔部４０ａとその両側の大径孔部４０ｂ、４０ｃとで構成されている。定常状態では、圧縮コイルバネ４３の付勢によって、カム円盤４１の小径筒部４１ａがダイヤル円盤４の小径孔部４０ａに嵌挿され、一方の大径孔部４０ｃから突き出ている。
カム円盤４１の大径鍔部４１ｂは、ダイヤル円盤４の他方の大径孔部４０ｂに嵌っており、大径鍔部４１ｂの端面には隣接のカム円盤４１の小径筒部４１ａの端面が当接している。ダイヤル円盤４の円周の一部は、ハンドル２の正面側の横長スロット６８から突き出ている。
【００３３】
カム円盤４１の小径筒部４１ａの根元部周面には、図１４から図１６に示したように左右各側に３個の連動突起４５が所定間隔で形成されている。ダイヤル円盤４の小径孔部４０ａの内周面には、外周面に符号の数に等しい数、すなわち１０個の連動溝４６が等間隔に形成されており、前記連動突起４５が連動溝４６に係合することによって、ダイヤル円盤４とカム円盤４１は一体的に結合される。
【００３４】
ダイヤル円盤４とカム円盤４１との位相は、カム円盤４１をダイヤル円盤４の軸方向に連動溝４６の軸方向長さ分だけ移動させて、連動溝４６と連動突起４５との係合を解除させ、その後、連動溝４６の設置間隔の整数倍の角度だけ相対回転させ、その後、カム円盤４１をダイヤル円盤４向かって移動させることによって適宜変更される。これによって解錠符号列の設定変更がなされる。
【００３５】
カム円盤４１の大径鍔部４１ｂの周面の一部は扇形に切り欠きされ、左右２個のＶ字状角部４７が形成されている。ロックプレート５には、前記矩形開口部４４の間の板部分にＶ字状の受溝４８が左右２個形成されている。この受溝４８に前記角部４７が係合しているとき、ロックプレート５は、錠止端部２５がスライダー２１の制止部２６に係合しないレベル位置にある。角部４７が受溝４８から脱出して、両受溝間の山部に大径鍔部４１ｂの円周面が当たることによって、ロックプレート５は、錠止端部２５にスライダー２１の制止部２６が当たる位置まで回動することになる。
【００３６】
ロックプレート５の各末端部には、支軸突起４９ａ，４９ｂが錠止端部２５の反対側に形成されている。一方の支軸突起４９ａはバックプレート部材３９の立ち上がり壁板部５０によって支持されており、他方の支軸突起４９ｂは、バックプレート部材３９に固定された仕切り壁板５１の透孔５２に支持されている。ロックプレート５は圧縮コイルバネ５３によって、錠止端部２５がスライダー２１の制止部２６に係合しない位置に跳ね上げられている。
【００３７】
符号合わせ錠６の中心軸２０は、バックプレート部材３９の前記立ち上がり壁板部５０に形成した軸孔５４と、前記仕切り壁板５１に形成した軸孔５５に挿入されている。ダイヤル円盤４とカム円盤４１の付勢用圧縮コイルバネ４３は、中心軸２０に嵌められ、末端のカム円盤４１と立ち上がり壁板部５０との間で圧縮されている。
スライダー２１は板部材で構成され、バックプレート部材３９に沿ってスライドする。バックプレート部材３９の主体部分と側壁板部にはガイド突起５６が内向きに形成されている。バックプレート部材３９にはバネ受け突起５７が切り起こされており、スライダー２１には、ガイド突起５６が係合するガイド溝５８を形成してある。また、スライダー２１にはバネ受け突起５９が切り起こされており、前記バネ受け突起５７，５９には、スライダー２１を受金レバー１６に向かって付勢するために圧縮コイルバネ形のバネ部材２２が嵌められている。
【００３８】
受金レバー１６の枢軸１７は、扉３０の前面と平行に配置されている。スライダー２１には、前記圧縮コイルバネ５３と仕切り壁板５１のための逃げ用開口部６０が形成されている。この逃げ用開口部６０に対面するバックプレート部材３９には、Ｌ字状の開口部６１が形成されている。
符号合わせ錠６の中心軸２０には、別の末端のカム円盤４１と当接する鍔部２０ａが形成されており、この鍔部２０ａと仕切り壁板５１との間には、リセットレバー６２の基端リング部６３が嵌められている。リセットレバー６２の摘み部６４は、定常状態では前記開口部６１の縦長部６１ａに通されている。
【００３９】
前記リセット操作時や、解錠符号列の設定変更時には、バックプレート部材３９の背面側に突出しているリセットレバー６２の摘み部６４を押して、カム円盤４１の連動突起４５がダイヤル円盤４の連動溝４６から離脱するようにカム円盤４１の積層体をロックシャフト２９方向に押し上げ、この押し上げ状態を維持するためにリッセトレバー６２を若干倒して摘み部６４を前記開口部６１の横長部６１ｂに係合させる。
カム円盤４１と分離したダイヤル円盤４を適宜回した後、カム円盤４１の連動突起４５とダイヤル円盤４の連動溝４６を別位相にて再係合させることによってすことによって、解錠符号列が設定変更される。
【００４０】
カム円盤４の外周面には、符号の数に等しい数の位置決め溝６５が符号の間に等間隔に形成されている。ダイヤル円盤４の姿勢保持用板バネ部材６６がバックプレート部材３９の側壁板部に固着されており、板バネ部材６６の先端突起部６７が前記位置決め溝６５に弾性係合する。
シリンダー錠１３の内部錠機構１０としては公知のディスクタンブラ錠機構が使用されており、ロータ８の後端面に形成された偏心カム突起６９が、止め金板１１の基端部に形成した横長スロット７０に嵌められている。
内部錠機構としては、ピンタンブラ錠機構などの他の錠機構を使用することもできる。
【００４１】
図示の実施例では、螺子孔８９は枢軸８１よりも内側の部位において扉３０に対して直角に形成されており、セット螺子８２は出荷段階において螺子孔８９に一定長さねじ込んで置くことができる。
板状のストッパー部材８０には、第２カム面部８４の先端側に安定化面部８６が形成されており、セット螺子８２が扉３０の板厚に対応した所要深さまでねじ込まれたとき、セット螺子８２の先端部側面が該安定化面部８６に当接する。
【００４２】
これによって、ストッパー部材８０は、先端側面部８０ａが表側突起部９３の前記背面９３ｃと取付用開口３２の前記裏面側縁部３２ｂに同時に当接した固着成立位置に安定に保持される。
ストッパー部材８０には、前記安定化面部８６と先端側面部８０ａとの間に位置決め面部８７が形成されている。位置決め面部８７が前記空洞部９４の内側面９４ａに当接するとき、ストッパー部材８０はその全体が空洞部８内に退没する。
【００４３】
ストッパー部材８０の回転付勢用バネ部材８５は、捻りコイルバネで構成され、その屈曲部８５ａは空洞部９４の背面側凹部に収容され、一方の直線部８５ｂは空洞部９４の前記内側面９４ａに当接し、他方の直線部８５ｃはストッパー部材８０の段差面部８８に当接している。
ベース本体１の前記裏側突起部９０の正面９０ａは、位置決め溝部９２に対する取付用開口３２の裏面側縁部３２ａの係合操作を容易にするために、及び扉３０の板厚変動に対する調整余裕を大きくとるために、扉３０の正面３０ａに対して傾斜させて形成されている。前記空洞部９４はベース本体の他方側端部の端面に向かっても開口している。表側突起部９３は鍔状にベース本体１の前端部の全周に突き出し形成されている。
【００４４】
ベース本体１の背面壁部には放熱孔９９を形成してある。ベース本体１の内部には固定螺子９５によってホルダー９５が固着されており、受金レバー１６は枢軸１７によって前記ホルダー９５に枢着されている。受金レバー１６の復帰付勢用バネ部材１９は枢軸１７にコイル部を嵌めた捻りコイルバネによって構成されている。
【００４５】
【発明の効果】
請求項１の発明では、ベース本体１の一方側端部に形成した位置決め溝部９２に扉３０の取付用開口３２の一方側端部の裏面側縁部３２ａを係合させる一方、ベース本体１の螺子孔８９に螺合したセット螺子８２によってストッパー部材８０を押し回すことによって、ストッパー部材８０の先端側面部８０ａをベース本体１の表側突起部９３の他方側端部９３ｂの背面９３ｃと取付用開口３２の他方側端部の裏面側縁部３２ｂに係合させることによって、ベース本体１を扉３０に締付け固着するので、扉３０には取付ビス用の透孔や螺子孔を一切設ける必要がなく、孔開け加工を省くことができる。
【００４６】
請求項２の発明では、ベース本体１の一方側端部に形成した位置決め溝部９２に扉３０の取付用開口３２の一方側端部の裏面側縁部３２ａを係合させてから、ベース本体１を前記取付用開口３２に挿入するとき、ストッパー部材８０の第１カム面部８３が取付用開口３２の前記表側縁部３２ｃと摺接して、ストッパー部材８０が前記空洞部９４内に退没させられ、この後、ベース本体１の螺子孔８９にセット螺子８２をねじ込むとき、ストッパー部材８０の第２カム面部８４にセット螺子８２の先端部が摺接することによって、押し回されたストッパー部材８０が空洞部９４より突出させられ、ストッパー部材８０の先端側面部８０ａがベース本体１の表側突起部９３の前記背面９３ｃと前記取付用開口３２の他方側端部の裏面側縁部３２ｂに係合させられ、これによってベース本体１を扉３０に締付け固着するので、扉３０には取付ビス用の透孔や螺子孔を一切設ける必要がなく、孔開け加工を省くことができる。
【００４７】
請求項３の発明では、請求項１または請求項２の発明の前記効果に加えて、ベース本体１を取付用開口３２に挿入してベース本体１の表側突起部９３が扉３０の正面３０ａに突き当たったとき、バネ部材８５の作用によってストッパー部材８０が自動的に外側に回転して、ストッパー部材８０の先端側面部８０ａが前記表側突起部９３の背面９３ｃと取付用開口３２の裏面側縁部３２ｂに係合することによって、ベース本体１が扉３０に仮拘束されるため、セット螺子８２を締め込む際に扉用ロックハンドル装置を扉３０の正面側から押え付ける必要がなく、取付作業を能率良く行うことができる。
【００４８】
請求項４の発明では、請求項１から請求項３の発明の前記効果に加えて、ストッパー部材８０の先端側面部８０ａを弧状に形成してあるため、板厚の異なる各種の扉３０に対して有効に適用することができる。
【００４９】
請求項５の発明では、請求項１から請求項４の発明の前記効果に加えて、位置決め溝部９２とストッパー部材８０の協働作用によってベース本体１を扉３０に取付けた後、前記螺子孔９８に捻じ込んだ押付け螺子９７の先端を扉３０の裏面３０ｂに押し当てるため、扉用ロックハンドル装置の取付けが更に強固になされることになる。
【図面の簡単な説明】
【図１】本発明の一実施例に係る扉用ロックハンドル装置の施錠状態の正面図である。
【図２】図１の扉用ロックハンドル装置の右側面図である。
【図３】図１の扉用ロックハンドル装置の背面図である。
【図４】図１の扉用ロックハンドル装置の概略的な縦断面図であり、ダイヤル円盤を所定の解錠符号列に整列させたときを示している。
【図５】図１の扉用ロックハンドル装置の平面図である。
【図６】図１の扉用ロックハンドル装置の底面図である。
【図７】図１の扉用ロックハンドル装置に組込んだ符号合わせ錠の正面図であり、図示の簡略化のためダイヤル円盤の符号と位置決め溝は描いていない。
【図８】図７のＡ−Ａ線断面図である。
【図９】図７のＢ−Ｂ線断面図である。
【図１０】図７のＣ−Ｃ線断面図である。
【図１１】図７のＤ−Ｄ線断面図である。
【図１２】図７の符号合わせ錠に使用したダイヤル円盤の正面図である。
【図１３】図１２のＥ−Ｅ線断面図である。
【図１４】図７の符号合わせ錠に使用したカム円盤の正面図である。
【図１５】図１４のカム円盤の底面図である。
【図１６】図１４のＦ−Ｆ線断面図である。
【図１７】図８のＧ−Ｇ線断面図である。
【図１８】図７のＨ−Ｈ線断面図である。
【図１９】図１の扉用ロックハンドル装置に使用した取付用ストッパー部材の右側面図である。
【符号の説明】
１  ベース本体
２  ハンドル
３  ロック部材
４  ダイヤル円盤
５  ロックプレート
６  符号合わせ錠
７  鍵
８  ロータ
９  鍵孔
１０  内部錠機構
１１  止め金板
１２  側面透孔
１３  シリンダー錠
１４  止め金板の先端部
１５  受金レバーの段差部
１６  受金レバー
１７  枢軸
１８  カム斜面
１９  バネ部材
２０  符号合わせ錠の中心軸
２１  スライダー
２２  バネ部材
２３  スライダーの先端部
２４  受金レバーの先端部
２５  ロックプレートの錠止端部
２６  スライダーの制止部
２７  ベース部材の正面凹部
２８  枢軸
２９  ロックシャフト
３０  扉パネル
３２  取付用開口
６８  ダイヤル円盤用スロット
８０  ストッパー部材
８１  枢軸
８２  セット螺子
８３  第１カム面部
８４  第２カム面部
８５  バネ部材
８６  安定化面部
８７  位置決め面部
８８  段差面部
８９  螺子孔
９０  裏側突起部
９２  位置決め溝部
９３  表側突起部
９４  空洞部
９５  固定用螺子
９６  ホルダー
９７  押付け螺子
９８  螺子孔
９９  放熱孔
１００  ハンドル正面の凹部
【図１】
0003628673.tif 000002
【図２】
0003628673.tif 000003
【図３】
0003628673.tif 000004
【図４】
0003628673.tif 000005
【図５】
0003628673.tif 000006
【図６】
0003628673.tif 000007
【図７】
0003628673.tif 000008
【図８】
0003628673.tif 000009
【図９】
0003628673.tif 000010
【図１０】
0003628673.tif 000011
【図１１】
0003628673.tif 000012
【図１２】
0003628673.tif 000013
【図１３】
0003628673.tif 000014
【図１４】
0003628673.tif 000015
【図１５】
0003628673.tif 000016
【図１６】
0003628673.tif 000017
【図１７】
0003628673.tif 000018
【図１８】
0003628673.tif 000019
【図１９】
0003628673.tif 000020